(57)【要約】【課題】セパレータの早期摩耗や変形等を防止することのできる直動案内装置を提供する。【解決手段】ローラ１６の直径をＤw、セパレータ１９の高さをＨ1、腕部２０の高さをＨ2、案内溝２１の溝幅をＷとしたとき、（Ｈ1−Ｈ2）／２を（Ｄw−Ｗ）／２より小さくして、セパレータ１９が転動体循環路のローラ転走面１８ａに接触しないように構成した。【選択図】図１
2005180656.tif 000002
【特許請求の範囲】
【請求項１】
案内レールと、この案内レールの側面と対向する内側面を左右に有するスライダ本体と、このスライダ本体の前後方向両端に設けられたエンドキャップと、前記案内レールの側面と前記スライダ本体の内側面に形成された平面状の転動体軌道を転動した後、前記エンドキャップに形成された転動体方向転換路および前記スライダ本体に形成された転動体循環路を経て無限循環する多数のローラとを備えてなり、かつ前記ローラを保持するための腕部を左右の側面部に有するセパレータを各ローラの間に配置するとともに、前記腕部を介してセパレータを前記ローラの転がり方向に案内する案内溝を前記転動体循環路の内壁面に形成した直動案内装置であって、
前記ローラの直径をＤw、前記セパレータの高さをＨ1、前記腕部の高さをＨ2、前記案内溝の溝幅をＷとしたとき、（Ｈ1−Ｈ2）／２を（Ｄw−Ｗ）／２より小さくしたことを特徴とする直動案内装置。
【発明の詳細な説明】
【技術分野】
【０００１】
本発明は、直線運動する物体をその移動方向に案内する直動案内装置に関するものであり、特に、ローラ（ローラとも言う）を転動体として用いた直動案内装置に関する。
【背景技術】
【０００２】
工作機械などで使用される直動案内装置は、高い剛性を得るために、ローラを転動体として用いている場合が多い。このような直動案内装置は、図３に示すように、案内レール１１と、この案内レール１１の側面と対向する内側面を左右に有するスライダ本体１２と、このスライダ本体１２の前後方向両端に設けられたエンドキャップ１３とを備えており、案内レール１１の側面には平面状の転動体軌道１４が二条ずつ形成されている。この転動体軌道１４はスライダ本体１２の内側面に二条ずつ形成された平面状の転動体軌道１５（図４参照）と対向しており、転動体軌道１４と転動体軌道１５との間には多数のローラ１６が設けられている。これらのローラ１６はスライダ本体１２とエンドキャップ１３とからなるスライダが案内レール１１の長手方向に相対移動すると転動体軌道１４，１５上を転動するようになっており、転動体軌道１４，１５上を転動したローラ１６は、図５及び図６に示すように、エンドキャップ１３に形成された転動体方向転換路１７およびスライダ本体１２内に形成された転動体循環路１８を経て無限循環するようになっている。
【０００３】
このような直動案内装置においては、後続のローラが先行のローラに衝突すると、ローラの転がり方向が隣り合うローラ同士で逆方向になり、その結果、スライダの円滑な作動が妨げられるという問題がある。また、スライダを案内レールから分離すると、ローラがスライダから脱落するなどの問題もある。そこで、本発明者は、図７及び図８に示すように、ローラ１６を保持するための腕部２０を左右の側面部に有する樹脂製のセパレータ１９を各ローラ１６の間に配置するとともに、腕部２０を介してセパレータ１９をローラの転がり方向に案内する案内溝２１を転動体循環路１８の内壁面に形成したものを先に出願した（特願2003−32456号）。
【発明の開示】
【発明が解決しようとする課題】
【０００４】
このような直動案内装置では、後続のローラが先行のローラに衝突することがないので、ローラ同士の衝突による騒音の発生やスライダの作動性低下を防止できると共にローラがスライダから脱落することを防止することができるが、隣り合うローラ間の隙間が大きい場合には、図９に示すように、転動体循環路１８のローラ転走面１８ａにセパレータ１９が接触してしまい、その結果、セパレータが早期に摩耗したり、変形したりするなどの問題があった。
本発明は、このような問題点に着目してなされたもので、セパレータの早期摩耗や変形等を防止することのできる直動案内装置を提供することを目的とする。
【課題を解決するための手段】
【０００５】
上記の目的を達成するために、本発明に係る直動案内装置は、案内レールと、この案内レールの側面と対向する内側面を左右に有するスライダ本体と、このスライダ本体の前後方向両端に設けられたエンドキャップと、前記案内レールの側面と前記スライダ本体の内側面に形成された平面状の転動体軌道を転動した後、前記エンドキャップに形成された転動体方向転換路および前記スライダ本体に形成された転動体循環路を経て無限循環する多数のローラとを備えてなり、かつ前記ローラを保持するための腕部を左右の側面部に有するセパレータを各ローラの間に配置するとともに、前記腕部を介してセパレータを前記ローラの転がり方向に案内する案内溝を前記転動体循環路の内壁面に形成した直動案内装置であって、前記ローラの直径をＤw、前記セパレータの高さをＨ1、前記腕部の高さをＨ2、前記案内溝の溝幅をＷとしたとき、（Ｈ1−Ｈ2）／２を（Ｄw−Ｗ）／２より小さくしたことを特徴とする。
【発明の効果】
【０００６】
本発明に係る直動案内装置によれば、ローラの直径をＤw、セパレータの高さをＨ1、腕部の高さをＨ2、案内溝の溝幅をＷとしたとき、（Ｈ1−Ｈ2）／２を（Ｄw−Ｗ）／２より小さくしたことにより、隣り合うローラ間の隙間が大きい場合でもセパレータが転動体循環路のローラ転走面に接触することがないので、セパレータの早期摩耗や変形等を防止することができる。
【発明を実施するための最良の形態】
【０００７】
以下、本発明の実施の形態を図面に基づいて説明する。なお、図３〜図９に示したものと同一部分には同一符号を付し、その部分の説明は省略する。
図１は本発明の一実施形態に係る直動案内装置の要部を示す図であり、同図に示すように、本発明の一実施形態に係る直動案内装置では、ローラ１６の直径をＤw、セパレータ１９の高さをＨ1（＜Ｄw）、腕部２０の高さをＨ2、案内溝２１の溝幅をＷとすると、（Ｈ1−Ｈ2）／２＜（Ｄw−Ｗ）／２となっている。
【０００８】
このように、（Ｈ1−Ｈ2）／２を（Ｄw−Ｗ）／２より小さくすると、図２に示すように、隣り合うローラ間の隙間が大きい場合でもセパレータ１９が転動体循環路１８のローラ転走面１８ａに接触することがない。従って、セパレータの早期摩耗や変形等を防止することができ、直動案内装置の信頼性を向上させることができる。また、セパレータ１９が転動体循環路１８のローラ転走面１８ａに接触することによりローラ１６の円滑な転がり運度が阻害されたり、あるいはセパレータ１９の摩耗によってローラ１６に対するセパレータ１９の保持機能が低下したりすることもない。
なお、本発明は上述した実施形態に限定されるものではなく、本発明の要旨を逸脱しない範囲で種々の変更が実施可能である。
【図面の簡単な説明】
【０００９】
【図１】本発明の一実施形態に係る直動案内装置の要部を示す図である。
【図２】本発明の一実施形態に係る直動案内装置の作用を説明するための図である。
【図３】直動案内装置の斜視図である。
【図４】図３に示す直動案内装置の正面図である。
【図５】図４のV−V断面図である。
【図６】図４のVI−VI断面図である。
【図７】ローラ間にセパレータを介在させた直動案内装置のスライダ本体を示す図である。
【図８】図７のVIII−VIII断面図である。
【図９】本発明が解決しようとする課題を説明するための図である。
【符号の説明】
【００１０】
１１  案内レール
１２  スライダ本体
１３  エンドキャップ
１４，１５  転動体軌道
１６  ローラ
１７  転動体方向転換路
１８  転動体循環路
１９  セパレータ
２０  腕部
２１  案内溝
【図１】
2005180656.tif 000003
【図２】
2005180656.tif 000004
【図３】
2005180656.tif 000005
【図４】
2005180656.tif 000006
【図５】
2005180656.tif 000007
【図６】
2005180656.tif 000008
【図７】
2005180656.tif 000009
【図８】
2005180656.tif 000010
【図９】
2005180656.tif 000011